(57)【要約】      （修正有）【課題】ファスナスライダに着脱自在金具を簡単な工程で強固に連結できるファスナスライダへの物品取付構造、スライドファスナ、及び収納具を提供する。【解決手段】ファスナスライダ２３と物品とを連結部材３０を介して接続するファスナスライダ２３への物品取付構造において、連結部材３０が、金属線材を変形して構成され、２つの半円形部３１、３２と、２つの半円形部３１、３２の両端部を連結する２つの直線部３３、３４と、を備え、２つの直線部３３、３４のうち一方の直線部３４に不連続箇所３５を備える。また、スライドファスナ２０は、このファスナスライダ２３への物品取付構造を備え、収納具はこのスライドファスナ２０を備える。【選択図】図２
0003212399.tif 000002
【実用新案登録請求の範囲】
【請求項１】
ファスナスライダと物品とを連結部材を介して接続するファスナスライダへの物品取付構造において、
前記連結部材が、金属線材から構成され、２つの半円形部と、前記２つの半円形部の両端部を連結する２つの直線部と、を備え、前記２つの直線部のうち一方の直線部に不連続箇所を備えることを特徴とするファスナスライダへの物品取付構造。
【請求項２】
前記物品がその他の部材を接続及び解放自在に連結する着脱機構を備えたナスカン、カニカンを含む着脱自在金具であることを特徴とする請求項１に記載のファスナスライダへの物品取付構造。
【請求項３】
前記連結部材が、Ｃカン又は小判カンであることを特徴とする請求項１に記載のファスナスライダへの物品取付構造。
【請求項４】
請求項１に記載のファスナスライダへの物品取付構造を備えることを特徴とするスライドファスナ。
【請求項５】
請求項４に記載のスライドファスナを備えることを特徴とする収納具。
【考案の詳細な説明】
【技術分野】
【０００１】
本考案は、ファスナスライダへの物品取付構造、スライドファスナ、及び収納部材に関する。
【背景技術】
【０００２】
一般にスライドファスナのスライダには、ファスナ開閉用の引手が取付けられている。また、このスライダには引手を兼ねてナスカン等、他の部材を接続するための着脱自在金具が配置される。この着脱自在金具を鞄に設けたスライドファスナに配置された２つのスライダのうち、他のスライダの引手と連結すると、２つのスライダが連結され、スライドファスナが不正に開かれることを防止できる。また、着脱自在金具には、チェーンや革紐を介して、あるいは着脱自在金具に直接マスコット等の部材が取付けられることがある。
【０００３】
このようなファスナスライダに着脱自在金具、例えばナスカンを取付ける構造として、従来丸カンを用いるものが一般的である。丸カンは、一本の金属線材を円形環状とし、その両端を付き合わせた構造を備える。
【０００４】
丸カンを用いてナスカンをスライダに取付けるに際しては、丸カンを構成する金属線材の両端部をラジオペンチ等の工具で掴んでねじるように移動させて隙間を形成する。そして、この隙間からスライダの取付け穴とナスカンを通し、さらにラジオペンチで金属線材の両端部を掴んで両者を接触又は近接させて全体を環状とする。
【０００５】
これにより、丸カンは閉じて全体環状となりナスカンは丸カンを介してスライダに接続されることとなる。このように、丸カンを用いると、スライダに着脱自在金具を簡単工具で簡単に取付けることができる。
【０００６】
特許文献１の図５〜図７には、丸カンを用いてスライダに部材を接続した構成のスライドファスナが記載されている。
【先行技術文献】
【特許文献】
【０００７】
【特許文献１】特開２０１５−１９８８３２号公報
【考案の概要】
【考案が解決しようとする課題】
【０００８】
しかし、丸カンは引っ張り荷重に弱いという問題がある。即ち、丸カンに大きな力が加わると丸カンの隙間が開き、ナスカンが外れてしまうことがある。２つのスライダをナスカンで連結している場合には、スライダが移動できる状態となる。また、アクセサリ等が他の部材に引っ掛かって丸カンに大きな力がかかると、丸カンの隙間が開き、アクセサリがスライダから外れてしまうことがある。
【０００９】
そこで本考案は、ファスナスライダに着脱自在金具を簡単な工程で強固に連結できるファスナスライダへの物品取付構造、スライドファスナ、及び収納具を提供することを課題とする。
【課題を解決するための手段】
【００１０】
前記課題を解決する請求項１に記載の考案は、ファスナスライダと物品とを連結部材を介して接続するファスナスライダへの物品取付構造において、前記連結部材が、金属線材から構成され、２つの半円形部と、前記２つの半円形部の両端部を連結する２つの直線部と、を備え、前記２つの直線部のうち一方の直線部に不連続箇所を備えることを特徴とするファスナスライダへの物品取付構造である。
【００１１】
本考案によれば、連結部材が、金属線材から構成され、２つの半円形部と、前記２つの半円形部の両端部を連結する２つの直線部とを備え、前記２つの直線部のうち一方の直線部に不連続箇所を備える。このため、スライダに物品を取付けて引っ張ったとき、スライダ及び物品の取付け部は連結部材の半円形部に移動するので、不連続箇所にスライダや物品の取付け部が位置することがなく、不連続箇所からスライダや物品の取付け部が外れるのを防止できる。また、連結部材の両端に位置する半円形部を引き離す方向に荷重がかかったとき、一方の直線部が湾曲する状態となり加重を担持して不連続箇所における開きが抑制される。このため、従来の丸カンに比べて引っ張り強度を大きいものとでき、かつ接合にかかる手間は変わらず、簡単に接続できる。
【００１２】
同じく請求項２に記載の考案は、前記物品がその他の部材を接続及び解放自在に連結する着脱機構を備えたナスカン、カニカンを含む着脱自在金具であることを特徴とする。
【００１３】
本考案によれば、着脱自在金具を同一のスライドファスナに配置された他のスライダの引手と連結して２つのスライダを連結しスライドファスナが不正に開かれることを防止できる他、着脱自在金具に、チェーンやマスコット等の部材が取付けられることができる。
【００１４】
同じく請求項３に記載の考案は、前記連結部材が、Ｃカン又は小判カンであることを特徴とする。
【００１５】
本考案によれば、連結金具としてＣカン又は小判カンを使用できるので、簡単に入手できる市販の部材を使用でき、安価なものとできる。
【００１６】
同じく請求項４に記載の考案は、前記ファスナスライダへの物品取付構造を備えることを特徴とするスライドファスナである。
【００１７】
本考案によれば、スライドファスナは、前記ファスナスライダへの物品取付構造を備えるので、スライダに他の物品を強固かつ簡単に接続できる。このため、スライドファスナの不正開放を防止して防盗性を向上させたり、スライダにアクセサリ等を強固に接続したりできる。
【００１８】
同じく請求項５に記載の考案は、前記スライドファスナを備えることを特徴とする収納具である。
【００１９】
本考案によれば、収納具に前記スライドファスナを備えるので、スライダに他の物品を強固かつ簡単に接続できる。このため、収納具においてスライドファスナの不正開放を防止でき防盗性を向上させたり、収納具にアクセサリ等を強固に接続したりできる。
【考案の効果】
【００２０】
本考案によれば、スライドファスナのスライダに連結部材を簡単な工程で強固に連結できる。
【００２１】
即ち、請求項１に記載のファスナスライダへの物品取付構造によれば、連結部材が、金属線材から構成され、２つの半円形部と、前記２つの半円形部の両端部を連結する２つの直線部とを備え、前記２つの直線部のうち一方の直線部に不連続箇所を備える。このため、スライダに物品を取付けて引っ張ったとき、スライダ及び物品の取付け部は連結部材の半円形部に移動するので、不連続箇所にスライダや物品の取付け部が位置することがなく、不連続箇所からスライダや物品の取付け部が外れるのを防止できる。また、連結部材の両端に位置する半円形部を引き離す方向に荷重がかかったとき、一方の直線部が湾曲する状態となり加重を担持して不連続箇所における開きが抑制される。このため、従来の丸カンに比べて引っ張り強度が大きいものとでき、かつ接合にかかる手間は変わらず、簡単に接続できる。
【００２２】
また、請求項２に記載のファスナスライダへの物品取付構造は、請求項１が有する効果に加え、着脱自在金具を同一のスライドファスナに配置された他のスライダの引手と連結して２つのスライダを連結しスライドファスナが不正に開かれることを防止できる他、着脱自在金具に、チェーンやマスコット等の部材を取付けることができるという効果を有する。
【００２３】
また、請求項３に記載のファスナスライダへの物品取付構造は、請求項１が有する効果に加え、結金具としてＣカン又は小判カンを使用できるので、簡単に入手できる市販の部材を使用でき、安価なものとできるという効果を有する。
【００２４】
さらに、請求項４に記載のスライドファスナによれば、スライドファスナが前記ファスナスライダへの物品取付構造を備えるので、スライダに他の物品を強固かつ簡単に接続でき、このため、スライドファスナの不正開放を防止して防盗性を向上させたり、スライダにアクセサリ等を強固に接続したりできるという効果を有する。
【００２５】
そして、請求項５に記載の収納具によれば、収納具に前記スライドファスナを備え、スライダに他の物品を強固かつ簡単に接続できるので、収納具においてスライドファスナの不正開放を防止でき防盗性を向上させたり、収納具にアクセサリ等を強固に接続したりできるという効果を有する。
【図面の簡単な説明】
【００２６】
【図１】本考案の一実施形態にかかる収納具であるリュックサックの斜視図である。
【図２】同収納具の部分を拡大してファスナスライダの着脱自在金具であるナスカンの取付け構造を示す斜視図である。
【図３】本考案の実施形態に係るファスナスライダへの物品取付構造の荷重試験を示すものであり、（ａ）は比較例についての試験を示す写真、（ｂ）は実施形態についての試験を示す写真である。
【考案を実施するための形態】
【００２７】
本考案を実施するための形態に係るファスナスライダへの物品取付構造、スライドファスナ、及び収納部材について説明する。
【００２８】
図１は本考案の一実施形態にかかる収納具であるリュックサックの斜視図、図２は同収納具の部分を拡大してファスナスライダの着脱自在金具であるナスカンの取付け構造を示す斜視図である。
【００２９】
本実施形態では、収納具としてリュックサック１０を例として説明する。リュックサック１０は、本体収納部１１、蓋部１２、背負い紐１３、手提げ紐１４、サイドポケット１５を備える。蓋部１２は、本体収納部１１に第１のスライドファスナ１６で開閉可能である。
【００３０】
また、本体収納部１１の上部には、開口スリット１７が開設されおり、この開口スリット１７には、第２のスライドファスナ２０が取付けられている。
【００３１】
以下、第２のスライドファスナ２０について説明する。以下、単にスライドファスナ２０として説明する。スライドファスナ２０は、基本的には公知の構成を備える。本実施形態に係るスライドファスナ２０は、１対のテープ２１、２１、一対のファスナエレメント２２、２２、２つのスライダ２３、２４を備える。テープ２１は、開口スリット１７の両側に配置される布製の帯状部材である。ファスナエレメント２２は、テープ２１、２１の内側に配置された合成樹脂製の係合部材である。スライダ２３、２４は、ファスナエレメント２２、２２に噛み合って、ファスナエレメント２２、２２に沿って移動することで、ファスナエレメント２２、２を噛み合わせたり、噛み合わせを開放したりする。
【００３２】
そして、一方のスライダ２３には、ナスカン２５が接続され、他方のスライダ２４には引手２６が接続されている。ナスカン２５は、他の部材、この例では引手２６を接続及び解放自在に連結する公知の着脱機構２８を備える。また、引手２６にはナスカン２５が挿入される穴部２９が解説されている。
【００３３】
図１に示すように、スライダ２４と、ナスカン２５と近接して配置することで、スライドファスナ２０のファスナエレメント２２、２２は噛み合って開口スリット１７を閉状態とする。そして、この状態で、ナスカン２５を引手２６に接続すると、スライダ２３とスライダ２４とを離間できない状態となり、開口スリット１７は閉状態を保つ。
【００３４】
このとき、スライダ２３及びスライダ２４の一方を移動させ、スライドファスナ２０を開状態にしようとしても、スライダ２３とスライダ２４とは、ナスカン２５と引手２６とが連結されているため、同時に移動してスライドファスナ２０は閉状態を保つ。これにより、第三者による不正な開放を防止する。また、ナスカン２５には、チェーンや革紐を介して、あるいは直接アクセサリを着脱自在に接続できる。
【００３５】
本実施形態では、図２に示すように、スライダ２３とナスカン２５とは、接続部材である小判カン３０で接続されている。小判カン３０は、金属線材を変形して形成されている。小判カン３０は、２つの半円形部３１、３２と、この２つの半円形部３１、３２の両端部を連結する２つの直線部３３、３４と、を備え、２つの直線部のうち一方の直線部３４に不連続箇所３５を備える。なお、小判カン３０の半円形部３１、３２は厳密に半円形である必要はなく実質的に半円形状であれば差し支えない。また、直線部３３、３４は厳密な直線である必要はなく、実質的に直線状であれば差し支えない。即ち、小判カン３０は、長円形、楕円形、卵形であっても差し支えない。
【００３６】
本例では、小判カン３０は、クロムメッキ加工が施された直径１．８ｍｍの鉄線からなり、外径寸法９ｍｍ×５ｍｍである。本例では、小判カン３０は市販のものであり、素材、金属線材の直径、外径寸法は必要に応じて適宜選択できる。また、市販のＣカンと称されるものを使用することができる。
【００３７】
本実施形態では、スライダ２３にナスカン２５を取付けるには、直線部３４に形成された不連続箇所３５の両側部をラジオペンチ等の工具で掴んでねじるように移動させて隙間を形成し、この隙間からスライダ２３の取付け穴とナスカンを通し、さらにラジオペンチで不連続箇所３５の両側部を掴んで両者を接触させて全体を環状とする。
【００３８】
よって、従来丸カンでナスカン２５を取付けていた手間と同様に簡単にスライダ２３にナスカン２５を取付けることができる。また、小判カン３０は、従来の丸カンに比べて引っ張り加重に強いことがわかった。これは、ナスカン２５が引っ張られたとき、スライダ２３及びナスカン２５の取付け部が小判カン３０の半円形部３１、３２に移動して不連続箇所３５に位置することがなく、不連続箇所３５が開くことがないこと、及び半円形部３１、３２を引き離す方向に荷重がかかったとき、一方の直線部３３が湾曲する状態となり加重を担持して不連続箇所３５における開きが抑制されるためと考えられる。
【００３９】
また、本実施形態によれば、ナスカン２５は市販のものであり、必要に応じて適宜の材質、寸法のものを選択して使用できる。また、市販のカニカンと称されるものを使用することができる。
【００４０】
本実施形態に係るリュックサック１０は、スライドファスナ２０として上述した構成のものを使用したから、スライダ２３にナスカン２５を強固かつ簡単に接続できる。このため、リュックサック１０において、スライドファスナ２０の不正開放を防止でき、防盗性を向上させることができる他、リュックサック１０にアクセサリ等を強固に接続したりできる。
【００４１】
＜荷重試験＞
次に実施形態に係るファスナスライダへの物品取付構造について行った荷重試験について説明する。図３は本考案の実施形態に係るファスナスライダへの物品取付構造の荷重試験を示すものであり、（ａ）は比較例についての試験を示す写真、（ｂ）は実施形態についての試験を示す写真である。
【００４２】
本試験では、比較例として従来使用していた丸カン４０と、実施形態に係る構造に使用した小判カン３０とを試験対象とした。両者に引っ張り荷重を加え、丸カン４０の不連続箇所４１が開く加重と、小判カン３０の不連続箇所３５が開く加重とをデジタル手秤５０で測定した。（ａ）に示した試験で使用した丸カン４０は、クロムメッキが施された直径１．６ｍｍの鉄線で形成され、外径寸法９．２ｍｍ、内径寸法６ｍｍの円形である。一方、（ｂ）に示した荷重試験に使用した小判カン３０は、実施形態で示したものと同じである。即ち、小判カン３０は、クロムメッキを施した直径１．８ｍｍの鉄線からなり、外径寸法９ｍｍ×５ｍｍの小判型（長円形）である。
【００４３】
図３（ａ）に示すように、丸カン４０は、「８．４８０ｋｇ」で不連続箇所４１が完全に開いた。一方、図３（ｂ）に示すように、実施形態に係る小判カン３０は、「２０．１４０」ｋｇで不連続箇所３５がわずかに開いた。
【００４４】
丸カン４０の線径が１．６ｍｍ、小判カン３０の線径が１．８ｍｍであり、小判カン３０の鉄線の断面積が、丸カン４０の線材の断面積の（１．８／１．６）２＝１．２６５６２５倍であることを考慮しても、小判カン３０は丸カン４０に比して大幅に加重に強いことが判った。
【００４５】
なお、上記実施形態では、スライドファスナをリュックサックに使用した例を説明したが、スライドファスナをショルダーバッグや、トートバッグ等他の鞄や収納部材に使用することができる。また、上記実施形態では、ナスカンに他方のスライダの引手を接続した場合を説明したが、チェーン状や紐状の革、ビーズなどの飾り接続する場合にも有効である。さらに、スライダには小判カン等の連結部材を介して着脱自在金具以外の引手等の部材を取付けるものとしてもよい。
【産業上の利用可能性】
【００４６】
本考案は、スライドファスナのスライダに連結部材を簡単な工程で強固に連結できるので、鞄、財布、その他の収納具、スライドファスナを備える他の製品に適用が可能であり、産業上の利用可能性を有する。
【符号の説明】
【００４７】
１０：リュックサック（収納具）
１１：本体収納部
１２：蓋部
１３：背負い紐
１４：手提げ紐
１５：サイドポケット
１６：スライドファスナ
１７：開口スリット
２０：スライドファスナ
２１：テープ
２２：ファスナエレメント
２３：スライダ
２４：スライダ
２５：ナスカン（物品、着脱自在金具）
２６：引手
２８：着脱機構
２９：穴部
３０：小判カン（連結部材）
３１：半円形部
３２：半円形部
３３：直線部
３４：直線部
３５：不連続箇所
４０：丸カン
４１：不連続箇所
５０：デジタル手秤
【図１】
0003212399.tif 000003
【図２】
0003212399.tif 000004
【図３】
0003212399.tif 000005